(57)【要約】【課題】複数の原稿束をまとめて１工程でスキャンすると同時に原稿束単位で画像データファイルを予め設定された原稿種別に振り分け作成することができる。【解決手段】原稿画像をスキャンし、スキャンした原稿画像から前記しおり画像の有無並びに種別を識別し且つ前記しおり画像の有無並びに種別を識別する毎に前記複数の原稿束単位で関連付けした画像データファイルを作成し、作成した画像データファイルを前記複数の原稿束単位で原稿種別に関連付けして記憶する。【選択図】      図７
2009094598.tif 000002
【特許請求の範囲】
【請求項１】
所定のしおり画像データを予め設定された原稿種別に対応して生成するしおり画像データ生成手段と、該しおり画像データ生成手段で生成されたしおり画像データに基づいてしおり画像を形成する画像形成手段と、原稿画像を読み取る画像読取手段と、該画像読取手段で読み取った各原稿画像から前記しおり画像の有無並びに種別を識別するしおり画像識別手段と、該しおり画像識別手段で前記しおり画像の有無並びに種別を識別する毎に複数の原稿束単位で関連付けした画像データファイルを作成するファイル作成手段と、該ファイル作成手段で作成した前記画像データファイルを前記複数の原稿束単位で関連付けして記憶する画像データファイル記憶手段と、を備えていることを特徴とする文書管理装置。
【請求項２】
原稿画像をスキャンするスキャンステップと、スキャンした原稿画像からしおり画像の有無並びに種別を識別するしおり画像識別ステップと、前記しおり画像の有無並びに種別を識別する毎に前記複数の原稿束単位で関連付けした画像データファイルを作成する画像データファイル作成ステップと、作成した画像データファイルを前記複数の原稿束単位で原稿種別に関連付けして記憶するファイル記憶ステップと、をコンピュータに実行させることを特徴とする文書管理プログラム。
【請求項３】
所定のしおり画像データを予め設定された原稿種別に対応して生成するしおり画像データ生成手段と、該しおり画像データ生成手段で生成されたしおり画像データに基づいてしおり画像を形成する画像形成手段と、を備えていることを特徴とするしおり画像付原稿生成装置。
【請求項４】
所定のしおり画像データを予め設定された原稿種別に対応して生成するしおり画像データ生成ステップと、生成されたしおり画像データに基づいてしおり画像を形成する画像形成ステップと、をコンピュータに実行させることを特徴とするしおり画像付原稿生成プログラム。
【発明の詳細な説明】
【技術分野】
【０００１】
本発明は、印刷物をスキャンして電子化するための文書管理装置、文書管理プログラム、しおり画像付原稿生成装置、しおり画像付原稿生成プログラムに関する。
【背景技術】
【０００２】
近年、ペーパレス化の一環として、書類等を電子化することで、資源の削減やデータ管理の容易化を図っている。
【０００３】
この際、書類の電子化技術としては、パーソナルコンピュータ上で作成された文書等を紙面に打ち出す（印刷処理）代わりに、例えば、ＰＤＦフォーマット形式で生成された画像データファイル（以下、「ＰＤＦファイル」と称する）として記憶し、その記憶されたＰＤＦファイルを必要に応じてパーソナルコンピュータ上で呼び出してモニタに表示したり、画像形成装置を利用して画像形成処理（印刷処理）する文書管理装置が周知である。
【０００４】
この際、例えば、パーソナルコンピュータ上で作成された文書の任意のページと特定符号とを対応させたうえでＰＤＦファイルを生成・記憶し、その特定符号に対応する画像データファイルを検索・呼出を可能としたものも知られている（例えば、特許文献１参照）。
【０００５】
尚、上述した特定符号は、電子的なしおり画像として利用し、必要な画像データファイルを素早く検索するために用いている。
【０００６】
また、このような文書管理装置には、原稿の一部をスキャンすると共に、その原稿の一部をしおり画像として登録することで書類（原稿）の種別等を可能としたものも知られている（例えば、特許文献２参照）。
【０００７】
さらに、このような文書管理装置には、複写機・ファクシミリ・スキャナ或いはこれらを機能的に備えた複合機において、スキャンした原稿の画像データを画像形成処理用とは別に記憶したり、プリンタ或いはプリント機能を備えた複合機において、ネットワーク等で接続されたパーソナルコンピュータから出力された印刷データに含まれる画像データを画像形成処理用とは別に記憶する技術も知られている（例えば、特許文献３参照）。
【０００８】
また、原稿をスキャンして画像データとして記憶する際に、その原稿の属性情報を特性領域の画像データとして切り出して全体の画像データと関連付けして管理する技術も知られている。
【特許文献１】特開平０６−２４３１７１号公報
【特許文献２】特開２００１−０６９２７３号公報
【特許文献３】特許３８７５２３５号公報
【特許文献４】特許３６０４２８３号公報
【発明の開示】
【発明が解決しようとする課題】
【０００９】
ところが、上記の如く構成された文書管理装置にあっては、予めパーソナルコンピュータ上に文書データ等として記憶されている画像データやスキャンした画像データのバックアップ用や種別用としての技術であり、複数頁にわたる１つの原稿データや原稿束に対する処理を個別に行うことしかできなかった。
【００１０】
従って、文書データの無い印刷物において、複数種類の原稿束が存在していた場合に、これら複数の原稿束をまとめて１工程でスキャンすると同時に原稿束単位で画像データファイルを作成することは困難であるという問題が生じ、文書管理作業が煩雑化するばかりでなく、同じ原稿種類として扱うしかできないという問題が生じていた。
【００１１】
そこで、本発明は、上記事情を考慮し、複数の原稿束をまとめて１工程でスキャンすると同時に原稿束単位で画像データファイルを予め設定された原稿種別で振り分け作成することができる文書管理装置、文書管理プログラム、しおり画像付原稿生成装置、しおり画像付原稿生成プログラムを提供することを目的とする。
【課題を解決するための手段】
【００１２】
本発明の文書管理装置は、  所定のしおり画像データを予め設定された原稿種別に対応して生成するしおり画像データ生成手段と、該しおり画像データ生成手段で生成されたしおり画像データに基づいてしおり画像を形成する画像形成手段と、原稿画像を読み取る画像読取手段と、該画像読取手段で読み取った各原稿画像から前記しおり画像の有無並びに種別を識別するしおり画像識別手段と、該しおり画像識別手段で前記しおり画像の有無並びに種別を識別する毎に複数の原稿束単位で関連付けした画像データファイルを作成するファイル作成手段と、該ファイル作成手段で作成した前記画像データファイルを前記複数の原稿束単位で関連付けして記憶する画像データファイル記憶手段と、を備えていることを特徴とする。
【００１３】
また、本発明の文書管理プログラムは、原稿画像をスキャンするスキャンステップと、スキャンした原稿画像からしおり画像の有無並びに種別を識別するしおり画像識別ステップと、前記しおり画像の有無並びに種別を識別する毎に前記複数の原稿束単位で関連付けした画像データファイルを作成する画像データファイル作成ステップと、作成した画像データファイルを前記複数の原稿束単位で原稿種別に関連付けして記憶するファイル記憶ステップと、をコンピュータに実行させることを特徴とする。
【００１４】
また、本発明のしおり画像付原稿生成装置は、所定のしおり画像データを予め設定された原稿種別に対応して生成するしおり画像データ生成手段と、該しおり画像データ生成手段で生成されたしおり画像データに基づいてしおり画像を形成する画像形成手段と、を備えていることを特徴とする。
【００１５】
さらに、本発明のしおり画像付原稿生成プログラムは、所定のしおり画像データを予め設定された原稿種別に対応して生成するしおり画像データ生成ステップと、生成されたしおり画像データに基づいてしおり画像を形成する画像形成ステップと、をコンピュータに実行させることを特徴とする。
【発明の効果】
【００１６】
本発明によれば、複数の原稿束をまとめて１工程でスキャンすると同時に原稿束単位で画像データファイルを予め設定された原稿種別に振り分け作成することができる。
【発明を実施するための最良の形態】
【００１７】
次に、本発明の一実施形態に係る文書管理プログラムを画像形成装置に適用し、図面を参照して説明する。
【００１８】
図１は本発明の一実施形態に係る文書管理プログラムを備えた画像形成装置の正面図、図２は本発明の一実施形態に係る文書管理プログラムのブロック図、図３は本発明の一実施形態に係る文書管理プログラムを実行する制御回路部のブロック図、図４は本発明の一実施形態に係る文書管理プログラムに用いられるしおり画像の説明図、図５は本発明の一実施形態に係る文書管理プログラムに用いられる他のしおり画像の説明図、図６は本発明の一実施形態に係る文書管理プログラムの原稿処理の説明図、図７は本発明の一実施形態に係る文書管理プログラムの処理ルーチンの説明図、図８は本発明の一実施形態に係る文書管理プログラムの処理ルーチンのフロー図である。
【００１９】
（画像形成装置１の外観構成）
図１において、本発明の一実施形態に係る画像形成装置（複合機）１は、装置本体２の正面から引き出し可能な複数段（変更可能）の給紙カセット３，４，５，６と、複写機・ファクシミリ・スキャナの各種機能として原稿を読み取る際に使用する自動原稿送り装置（ＡＤＦ）７と、タッチパネル方式の表示パネル８と、テンキー等の操作ボタン群９と、表示パネル８と操作ボタン群９とで構成された操作部１０と、画像形成装置１を利用する際（プリンタ機能を除く）に社員証等のユーザ認証用カード（図示せず）等が挿入されるカード読取部１１と、カード式記録メディア（図示せず）等が挿入されるメディア読取部１２と、ＵＳＢメモリスティック（図示せず）等のＵＳＢコネクタが挿入されるＵＳＢポート部１３とを備えている。
【００２０】
（画像形成装置１の内部構成）
また、装置本体２の内部には、図２に示すように、画像形成処理全般に係わる各種制御プログラムを格納したＲＯＭ１４と、ＡＤＦ７等にセットされた原稿の画像を読み取る画像読取部（ＣＣＤ）１５と、ＲＯＭ１４に格納された各種制御プログラムに基づいて画像形成処理全般に係わる制御を実行する制御回路部（ＣＰＵ）１６と、画像形成装置１による画像形成処理の際（プリンタ機能・複写機能・ファクシミリ機能）の画像データを一時的に記憶する大容量ＨＤＤ等の画像データ記憶部１７と、画像データ記憶部１７に記憶された画像データに基づいて画像形成処理を実行すると共に本発明のしおり画像付原稿の画像形成処理を実行する画像形成部１８と、しおり画像付原稿を画像形成部１８で画像形成処理するためのしおり画像データを一時的に記憶するしおり画像データ記憶部１９と、画像読取部１５で読み取った原稿画像の画像データを画像形成処理のためとは別にパーソナルコンピュータ等で呼び出し可能な形式（例えば、ＰＤＦフォーマット形式やＪＰＧ・ＪＩＦ・ＢＭＰ形式等）で作成された画像データファイルとして記憶するための画像データファイル記憶部（例えば、ＨＤＤ）２０とを備えている。
【００２１】
ＲＯＭ１４には、上述した画像形成処理全般に係わる各種制御プログラムの他、本発明に係わるしおり画像の作成・識別・記憶・管理に関する制御プログラムが格納されている。これにより、ＲＯＭ１４と制御回路部１６とは、本発明に係わるしおり画像付原稿生成プログラム並びに文書管理プログラムを実行するマイクロコンピュータを構成している。
【００２２】
画像読取部１５は、図２では１つのみを図示しているが、画像形成装置１がモノクロ専用機である場合には１つ（グレースケール用）でよいが、画像形成装置１がフルカラー機の場合には、Ｒ（レッド）、Ｇ（グリーン）、Ｂ（ブルー）又はＹ（イエロー）、Ｍ（マゼンタ）、Ｃ（シアン）の三つが追加設置される。この際、これらの色情報を補正することも可能である。
【００２３】
制御回路部１６は、画像形成処理全般に係わる各種制御プログラムを実行する他、本発明に係わるしおり画像の作成・識別・記憶・管理に関する制御プログラムを実行する。
【００２４】
しおり画像データ記憶部１９は、画像データ記憶部１７とは別の記憶媒体、例えば、ＲＡＭ等の容量をある程度確保することができ、且つ、その処理も比較的早いＲＡＭ等が用いられている。尚、しおり画像データ記憶部１９には、画像データ記憶部１７に専用の領域を確保して兼用も良いし、ネットワーク接続されたプリントサーバ等のＨＤＤ（図示せず）や記録メディア読取部１２に挿入されたカード式記録メディア或いは、ＵＳＢポート１３に接続されたＵＳＢメモリスティック等の外部記憶メディアを利用しても良い。
【００２５】
画像データファイル記憶部２０は、画像データ記憶部１７に専用の領域を確保して兼用も良いし、ネットワーク接続されたプリントサーバ等のＨＤＤ（図示せず）や記録メディア読取部１２に挿入されたカード式記録メディア或いは、ＵＳＢポート１３に接続されたＵＳＢメモリスティック等の外部記憶メディアを利用しても良い。
【００２６】
（制御回路部１６の制御回路構成）
また、制御回路部１６は、図３に示すように、登録者情報取得手段２１、登録者情報管理手段２２、登録者情報識別手段２３、設定情報登録手段２４、しおり画像データ生成手段２５、しおり画像付原稿生成手段２６、しおり画像識別手段２７、日付獲得手段（タイマー）２８、画像データファイル格納場所指定手段２９、ファイル名作成カウンタ３０、ファイル作成手段３１、ファイル削除手段３２、ファイル転送手段３３、画像データファイルアクセスカウンタ３４、テーブル制御手段３５、メッセージ制御手段３６、を各種機能として実行する。
【００２７】
登録者情報取得手段２１は、カード読取部１１で読み取ったカード情報から登録者（操作者）に関するデータ（例えば、メールアドレス）を取得する。また、登録者情報取得手段２１は、取得した登録者情報を、ＲＯＭ１４に格納されたテーブルフォーマットに基づいて、画像データファイル記憶部２０に記憶する。
【００２８】
登録者情報管理手段２２は、画像データファイル記憶部２０に記憶した登録者情報を表示パネル８に表示して追加・変更等を行う。
【００２９】
登録者情報識別手段２３は、画像データファイル記憶部２０に記憶された登録者情報とカード読取部１１で読み取ったカード情報とを比較し、その比較結果を制御回路部１６に出力する。これにより、制御回路部１６は、登録者情報識別手段２３での比較結果に基づいて、画像形成装置１の機能全般にていてのユーザ制限やモード制限等を行う。
【００３０】
設定情報登録手段２４は、操作パネル８を利用した操作者によるしおり画像モードの選択に伴って設定されたしおり画像データの生成から画像データファイルの記憶に至る一連の設定情報を画像データファイル記憶部２０に記憶する。
【００３１】
しおり画像データ生成手段２５は、ＡＤＦ７に設置された原稿サイズ検出センサ（図示せず）で検出された原稿サイズや操作部１０で指定された転写紙サイズに応じた所定位置に、画像データファイル記憶部２０に記憶されたしおり画像に関する設定情報に基づいてしおり画像データを生成する。また、しおり画像データ生成手段２５は、その生成したしおり画像データを制御回路部１６を介してしおり画像データ記憶部１９に記憶させる。
【００３２】
これにより、図４に示すように、本発明のしおり画像付原稿Ｓには、例えば、原稿余白を考慮したうえで、しおり画像付原稿Ｓの上縁部付近にしおり画像付原稿Ｓの略全幅に跨って所定高さに予め設定された原稿種別に応じたカラー色の帯状のしおり画像Ｆ１，Ｆ２，Ｆ３が画像形成される。
【００３３】
しおり画像付原稿生成手段２６は、しおり画像データ生成手段２５とは別に、図４に示すように、本発明のしおり画像付原稿Ｓに操作パネル８で設定された設定情報を文字情報Ｊとして画像形成するために、設定された設定情報を画像データ化したうえで、しおり画像データ生成手段２５で生成されたしおり画像データと合成してしおり画像付原稿データを生成する。
【００３４】
具体的には、操作パネル８には、操作者によるしおり画像モードの選択に伴って、しおり画像データの生成から画像データファイルの記憶に至る条件を設定する設定画面（図示せず）が表示される。
【００３５】
これにより、操作者は、操作パネル８に表示された設定画面を利用して、登録者やメンテナンス情報等の確認・変更を行うことができると共に、しおり画像データの生成から画像データファイルの記憶に至る一連の設定として、例えば、登録者、画像データファイルの保存先、画像データファイルの形式の選択、しおり画像種（帯・バーコード・２次元バーコード・すかし等）、原稿種別（会議用資料・契約書又は見積書・営業用資料・その他等）、データ圧縮の有無や圧縮率、スキャン解像度、原稿タイプ（文字・文字／写真・写真等）等を、原稿印刷に関する設定（例えば、拡大／縮小・モノクロ／カラー・原稿濃度／印刷濃度等）と同時期に行うことができ、これらの設定情報は画像データファイル記憶部２０に記憶され、実際のしおり画像データの生成から画像データファイルの記憶に至る一連の設定情報として利用される。また、この設定情報は、画像データファイルを画像データファイル記憶部２０から削除しない限り、画像データファイルに対応して画像データファイル記憶部２０に記憶される。この際、画像データファイルをＵＳＢメモリスティック等に転送した場合には、設定情報も一緒に転送することができる。
【００３６】
さらに、しおり画像付原稿生成手段２６は、例えば、ＲＯＭ１４に予め格納されたしおり画像加工用データを利用して、例えば、図５に示すように、設定情報を記号化した（埋め込んだ）２次元バーコード等からなるしおり画像Ｂ（しおり画像Ｆの一部又は全部の何れでも良い）を生成することができる。尚、設定情報をしおり画像Ｂに埋め込んだ場合、しおり画像データの生成直後でなくても設定操作なしにスキャンの実行のみで画像データファイル作成を容易に行うことができる。
【００３７】
この際、画像データファイルが所望の条件を満たさなかった（例えば、ファイル容量や印刷濃度等）と操作者が判断した場合、操作パネル８の操作によって、制御回路部１６は画像データファイル記憶部２０に記憶した設定情報を呼び出して設定画面を再表示し、再度のスキャン実行から画像データファイルの作成・記憶（上書き・新規を選択可能）を行うことができるが、この再設定を行った場合には、しおり画像に埋め込んだ設定情報は無視される。
【００３８】
しおり画像データ生成手段２５は、ＡＤＦ７に設置された原稿サイズ検出センサ（図示せず）で検出された原稿サイズや操作部１０で指定された転写紙サイズに応じた所定位置に、しおり画像付原稿生成手段２６で加工された所定のしおり画像を生成する。
【００３９】
この際、操作者は、操作パネル８によって設定された設定情報が画像データファイル記憶部２０に記憶されていた場合には、この操作パネル８によって設定された設定情報としおり画像に埋め込まれた設定情報の何れを利用するかを選択することができる。
【００４０】
尚、しおり画像Ｆは、特に、設定情報を直接埋め込んだしおり画像Ｂとして文字情報Ｊを画像形成しない場合には、例えば、原稿束ａの第１頁目のみを手差トレイ（図示せず）にセットし、その原稿第１頁目をしおり画像付原稿Ｓとしてその上縁余白部分に直接画像形成しても良い。
【００４１】
また、モノクロ専用機の場合には黒色濃度やしおり幅を変えることによって、フルカラー機の場合には色を変えることによって、予め指定された濃度・幅・色に対応した原稿種別（例えば、会議用資料・契約書・見積書・営業用資料等）毎に種分けすることができるため、これらの設定情報もしおり画像データ生成手段２５によるしおり画像データ生成時に反映することができる。
【００４２】
しおり画像識別手段２７は、画像読取部１５で読み取った原稿画像にしおり画像が付されているか否かを判別する。また、しおり画像識別手段２７は、しおり画像に設定情報が埋め込まれているか（しおり画像Ｂがあるか）否かを判別し、設定情報が埋め込まれていた場合には、その設定情報を並びに原稿種別を解析して画像データファイル記憶部２０に記憶する。
【００４３】
日付獲得手段２８は、画像読取部１５で読み取った原稿画像に基づいて画像データファイル記憶部２０等に記憶するための画像データファイルの記憶名やアクセス日時等を管理する。
【００４４】
画像データファイル格納場所指定手段２９は、操作部１０を利用して画像データファイル記憶部２０を含めた記憶場所を指定する。
【００４５】
ファイル名作成カウンタ３０は、画像読取部１５で読み取った原稿画像に基づいて画像データファイル記憶部２０等に記憶するための画像データファイルのファイル名が重複しないように記憶名をカウントアップする。
【００４６】
ファイル作成手段３１は、画像読取部１５で読み取った原稿画像を画像データファイル記憶部２０等に記憶するために所定形式の画像データファイルを生成する。この際、ファイル作成手段３１は、画像読取部１５で読み取った原稿画像からしおり画像識別手段２７でしおり画像（しおり画像付原稿）有りと識別する毎に、即ち、先に識別したしおり画像付原稿から次に識別したしおり画像付原稿の手前の原稿までの各原稿画像を一つの原稿束として画像データファイルを生成する。また、ファイル作成手段３１は、記憶ファイル名として、日付獲得手段２８で獲得した日付とファイル名作成カウンタ３０で獲得した日付後の番号とを併用することにより、ファイル名からの追跡を容易に行うことができる。尚、ファイル名作成カウンタ３０のカウントアップについては、日付獲得手段２８で獲得した日付が変わった時点でリセットされる。
【００４７】
ファイル削除手段３２は、ファイル作成手段３１で作成された所定形式の画像データファイルを、操作パネル８に表示された一覧の指定に応じて画像データファイル記憶部２０等から削除する。
【００４８】
ファイル転送手段３３は、ファイル作成手段３１で作成された所定形式の画像データファイルを、操作パネル８に表示された一覧の指定に応じて画像データファイル記憶部２０等から他の指定メディア等に転送する。
【００４９】
画像データファイルアクセスカウンタ３４は、ファイル作成手段３１で作成された所定形式の画像データファイルのアクセス回数をカウントして操作パネル８に表示される一覧に反映させる。
【００５０】
テーブル制御手段３５は、ファイル作成手段３１で作成された所定形式の画像データファイルをＲＯＭ１４に格納されたテーブルフォーマットに基づいてファイル名・アクセス日時・アクセス回数・登録者等で関連付けして管理・制御する。
【００５１】
メッセージ制御手段３６は、ファイル作成手段３１で作成された所定形式の画像データファイルに関するメッセージ（ＲＯＭ１４に格納）を、表示パネル８に表示する。
【００５２】
（作用）
上記の構成において、例えば、図６に示すように、複数の原稿束（例えば、図６の上段に示す原稿束ａ，原稿束ｂ，原稿束ｃ）が存在していた場合、その各原稿束ａ，ｂ，ｃの先頭頁にしおり画像付原稿を差し込んでスキャン用の新たな原稿束（例えば、図６の中段に示す原稿束Ａ，原稿束Ｂ，原稿束Ｃ）とし、これら各原稿束Ａ，Ｂ，Ｃを１つのスキャン原稿束（例えば、図６の下段に示すスキャン原稿束Ｄ）としてまとめた状態でＡＤＦ７に設置し、そのスキャン原稿束Ｄを画像読取部１５で順次読み取ってしおり画像付原稿の有無に応じて原稿束単位、即ち、原稿束Ａ，Ｂ，Ｃ別の所定ファイル名（例えば、１−０７０３１６−１．ｐｄｆ／２−０７０３１６−１．ｐｄｆ／３−０７０３１６−１．ｐｄｆ）の画像データファイルとして画像データファイル記憶部２０に記憶することができる。
【００５３】
ここで、例えば、原稿種別として、会議用資料・契約書又は見積書・営業用資料・その他というように設定した場合、会議用資料は１−、契約書又は見積書は２−、営業用資料は３−、その他は４−といったように、原稿種別の識別子を予め設定し、画像データファイルとして記憶する際のファイル名の一部（例えば、先頭２文字）に識別子を付すようにするのが好ましい。また、これらの原稿種別として、しおり画像をカラーとした場合、会議用資料は赤、契約書又は見積書は黄、営業用資料は青、その他は黒といったように、色分けするのが好ましい。
【００５４】
（実施例）
以下、本発明の具体的な実施例を、図７に基づいて説明する。尚、以下の説明では、画像形成装置１を複写機及びスキャナとして利用するが、ネットワーク経由で接続されたパーソナルコンピュータによるプリンタとしてもしおり画像の作成等を実行することができる。
【００５５】
操作者は、複数の原稿束Ａ，Ｂ，Ｃをまとめて１つのスキャン原稿束Ｄとして画像読取部１５で読み取った原稿画像を最終的に原稿束Ａ，Ｂ，Ｃ単位での画像データファイル（例えば、ＰＤＦファイル）として画像データファイル記憶部２０に記憶した後に、ＵＳＢスティックメモリ等に転送・記憶することができる。
【００５６】
具体的に、先ず、操作者は、操作部１０（表示パネル８）を操作してしおり画像モードを選択した後、しおり画像データの生成から画像データファイルの記憶に至る一連の条件を設定した後、しおり画像付原稿を取得する。
【００５７】
次に、操作者は、そのしおり画像付原稿を各原稿束ａ，ｂ，ｃの先頭頁に差し込んでその各原稿束の第１頁目とし、しおり画像付原稿を含めた新たな各原稿束Ａ，Ｂ，Ｃを１つのスキャン原稿束ＤとしてＡＤＦ７にまとめてセットする。
【００５８】
この状態から、操作者が操作部１０によってスキャン実行指令を出力すると、スキャナ機能を利用して１つのスキャン原稿束Ｄが画像読取部１５によって順次読み取られ、しおり画像の有無を識別する毎に、原稿束Ａ，Ｂ，Ｃの束単位（又は原稿束ａ，ｂ，ｃの束単位）での複数の画像データファイル（例えば、１−０７０３１６−１．ｐｄｆ／１−０７０３１６−２．ｐｄｆ／１−０７０３１６−３．ｐｄｆ）が作成されると共に、その各画像データファイルが原稿種別に振り分けた状態で画像データファイル記憶部２０に記憶される。
【００５９】
ここで、操作者は、各画像データファイル（又は任意のファイル）をＵＳＢメモリスティック等に転送したい場合には、ＵＳＢメモリスティックであればＵＳＢポート部１３に挿入した後に、操作部１０を利用して転送要求を行うことでファイル転送を行うことができる。
【００６０】
（制御回路部１６の制御ルーチン）
次に、このような画像データファイルの作成に関する制御回路部１６の制御ルーチンを図８に基づいて説明する。
【００６１】
（ステップＳ１）
ステップＳ１では、制御回路部１６は、しおり画像モード選択後にＡＤＦ７に１つのスキャン原稿束Ｄがセットされた状態で操作部１０のスタートボタン（スキャンスタートボタン）等が操作されることにより、ＡＤＦ７による原稿送り駆動並びに画像読取部１５による原稿読み取りを実行してステップＳ２へと移行する。
【００６２】
（ステップＳ２）
ステップＳ２では、制御回路部１６は、スキャン原稿束Ｄに対するしおり画像の存在を確認し、しおり画像があった場合にはステップＳ３へと移行し、しおり画像が無かった場合にはステップＳ６へと移行する。
【００６３】
（ステップＳ３）
ステップＳ３では、制御回路部１６は、しおり画像の種類を解析して原稿種類（例えば、会議用資料・契約書・見積書・営業用資料等）を決定すると共に、しおり画像に設定情報が埋め込められている場合には、その設定情報も解析してステップＳ４へと移行する。
【００６４】
（ステップＳ４）
ステップＳ４では、制御回路部１６は、しおり画像に設定情報が埋め込められていた場合には、画像データファイル記憶部２０に記憶された設定情報に変えてしおり画像に埋め込められている設定情報を優先するように、異なった設定を変更してステップＳ５へと移行する。
【００６５】
この際、操作者は、操作パネル８によって設定した設定情報を画像データファイル記憶部２０に記憶していた場合には、この操作パネル８によって設定された設定情報としおり画像に埋め込まれた設定情報の何れを優先して利用するかを選択するようにしても良い。
【００６６】
（ステップＳ５）
ステップＳ５では、制御回路部１６は、しおり画像の存在により、原稿束Ａ，Ｂ，Ｃ単位での第１頁目であることを認識し、予め操作パネル８で設定されたしおり画像付原稿の画像データ化の有無が確認され、しおり画像付原稿をデータ化しない場合には原稿束Ａ，Ｂ，Ｃ単位での切れ目であることを認識したうえで次原稿、即ち、原稿束ａ，ｂ，ｃの先頭頁から画像データ化して画像データファイルを正式に作成するためにステップＳ１へとループし、しおり画像付原稿をデータ化する場合にはステップＳ７へと移行する。
【００６７】
（ステップＳ６）
ステップＳ６では、制御回路部１６は、しおり画像が存在しなかった原稿頁ではあるものの、その前にスキャンした原稿頁がしおり画像付原稿でデータ化しなかったために、今回スキャンした原稿頁をデータ化する第１頁目（原稿束ａ，ｂ，ｃの先頭頁）とすべきものか否かが判断され、第１頁目と判断した場合にはステップＳ７へと移行し、既に画像データファイルの第１頁目以降の存在がある場合には、既にファイル作成済み（作成中）のＰＤＦファイルが存在している第２頁目以降の原稿であると判断してステップＳ８へと移行する。
【００６８】
（ステップＳ７）
ステップＳ７では、制御回路部１６は、画像読取部１５で読み取った原稿束Ａ，Ｂ，Ｃの第１頁目（或いは原稿束ａ，ｂ，ｃの先頭頁）をＰＤＦファイルの第１頁目を作成してステップＳ９へと移行する。
【００６９】
尚、ここで作成されたＰＤＦファイルには、例えば、１−０７０３１６−１．ｐｄｆ等の原稿種別に応じたファイル名が自動的に作成される。
【００７０】
（ステップＳ８）
ステップＳ８では、制御回路部１６は、制御回路部１６は、ＰＤＦファイルに順次読み込んだ画像データをＰＤＦファイルの第２頁目以降として追加頁を作成し、ステップＳ９へと移行する。
【００７１】
（ステップＳ９）
ステップＳ９では、制御回路部１６は、次に作成する原稿束又は追加する原稿頁が有るか否か（ＡＤＦ７に原稿があるか否か）を判断し、次原稿がある場合にはステップＳ１へとループし、次原稿がない場合には作成したＰＤＦファイルを確定して画像データファイル記憶部２０に記憶する。
【００７２】
（変形例）
ところで、上記実施の形態では、ＰＤＦファイルを利用し、各原稿束（例えば、原稿束Ａ／原稿束Ｂ／原稿束Ｃ）単位でファイル名（例えば、１−０７０３１６−１．ｐｄｆ／２−０７０３１６−１．ｐｄｆ／３−０７０３１６−１．ｐｄｆ）毎の画像データファイルを作成したものを開示したが、他の画像形式（例えば、ＪＰＧ・ＪＩＦ・ＢＭＰ形式等）を利用し、各原稿束（例えば、原稿束Ａ／原稿束Ｂ／原稿束Ｃ）単位で１つのフォルダ（例えば、１−０７０３１６−０１／２−０７０３１６−０１／３−０７０３１６−０１）を作成し、その各フォルダ毎に各原稿束の頁単位で対応した指定画像形式のファイル名（例えば、１−０７０３１６−０１−０１．ｊｐｇ／１−０７０３１６−０１−０２．ｊｐｇ／１−０７０３１６−０１−０３．ｊｐｇ・・・）の画像データファイルを作成・記憶・管理することも可能である。
【００７３】
（データの管理・利用）
このようなしおり画像付きの原稿を利用して画像読取部１５で読み取った原稿は、例えば、図９に示すように、画像データファイル記憶部２０に登録者別にテーブル方式で記憶・管理される。
【００７４】
これにより、各操作者（又は管理者）は、カード読取部１１で読み取ったカード情報からユーザが特定されているため、画像データファイル作成直後或いは所望のタイミングにて操作者単位で画像データファイル記憶部２０に記憶された過去の画像データファイルを含めた一覧を、図１０に示すように、ユーザ別ステーブル情報として表示パネル８に表示することができる。
【００７５】
この際、表示パネル８には、登録ファイル一覧８ａ、一覧アップボタン８ｂ、一覧ダウンボタン８ｃ、削除ボタン８ｄ、印刷ボタン８ｅ、転送ボタン８ｆ、表示ボタン８ｇ、一覧表示のキャンセルボタン８ｈが表示される。
【００７６】
操作者（又は管理者）は、例えば、表示パネル８のタッチスイッチ機能を利用して、所望の画像データファイルを指定することで、指定された画像データファイルに関する一覧部分が反転表示される。また、その指定された画像データファイルは、削除ボタン８ｄを操作すれば画像データファイル記憶部２０から削除され（図１１参照）、印刷ボタン８ｅを操作すれば画像形成処理（印刷設定画面表示後）が実行され、転送ボタン８ｆを操作すれば転送処理（メディア指定画面表示後等）が実行され、表示ボタン８ｇを操作すれば表示パネル８に頁単位等での縮小表示が実行される。
【００７７】
（データの削除）
ところで、画像データファイルは、上述したように、削除ボタン８ｄの操作によって操作者が自ら操作パネル８を利用してデータ削除することができるが、ユーザ単位等で古くて利用回数の少ない又は所定期間（例えば、３ヶ月）利用されていない画像データファイルを、日付獲得手段２８や画像データファイルアクセスカウンタ３４を利用して削除することによって、画像データファイル記憶部２０の領域を確保することができる。
【００７８】
例えば、上述した画像データファイルの作成・記憶処理直後に表示パネル８にユーザ別ステーブル情報が表示されている際、画像データファイルを利用するためにユーザ認証用カードをカード読取部１１に挿入して表示パネル８にユーザ別ステーブル情報を表示させた際、画像データファイルを利用するためにネットワーク接続したパーソナルコンピュータのモニタにユーザ別ステーブル情報を表示させた際等、図１２に示すように、操作者によってユーザ別テーブル情報表示要求等がなされると、表示パネル部８（又はパーソナルコンピュータ）にユーザ別テーブル情報が送信される。
【００７９】
制御回路部１６は、操作者によって表示パネル８（又はパーソナルコンピュータのモニタ）に示したユーザ別ステーブル情報表示を利用して所望の画像データファイルの削除・印刷・転送等を行うためのアクセス要求があると、日付獲得手段２８及び画像データファイルアクセスカウンタ３４を利用してテーブル制御手段３５によって最終アクセス日時並びにアクセス回数を更新させると共に、アクセス要求に応じた処理を実行する。
【００８０】
一方、制御回路部１６は、このようなファイル転送や印刷等のアクセス要求処理を実行すると、日付獲得手段２８のタイマー機能を利用してテーブル制御手段３５によってアクセス情報の分析を行い、例えば、現在から３ヶ月以上前の間といった所定期間アクセス要求が無かったファイルを検索する。
【００８１】
そして、制御回路部１６は、このような所定期間アクセス要求が無かった画像データファイルの削除処理を操作者に促すため、図１３に示すように、表示パネル８に削除画面を表示する。
【００８２】
この削除画面には、例えば、登録者表示部８ｉ、削除対象ファイル名表示部８ｊ、ＯＫボタン８ｋ、ＮＯボタン８ｍが削除メッセージと共に表示される。
【００８３】
操作者は、このメッセージを確認し、不用と思われる画像データファイルの場合にはＯＫボタン８ｋを押下して画像データファイル記憶部２０から削除し、必要であればＮＯボタン８ｍを押下して引き続き画像データファイル記憶部２０に記憶しておく。
【００８４】
この際、制御回路部１６は、所定期間経過しても必要であると指定された画像データファイルに関して、次回以降（例えば、翌日等）において同様の削除対象とならないように、最終アクセス日時並びにアクセス回数を更新する。
【００８５】
尚、制御回路部１６は、このような削除対象のファイルに関して、ＵＳＢメモリスティック等のメディアへの転送を１度も行っていないファイルの場合には、所定期間アクセス要求が無くても削除対象から除外したり、他のメディアへの記憶を促した後に削除メッセージを表示させても良い。また、ファイルの削除と同時に、登録者へ削除データを強制的に送信（ネットワーク経由でのパーソナルコンピュータへの配信や電子メールを利用しての添付ファイル等）して、バックアップ体制を確保しても良い。
【００８６】
これにより、不要と思われるデータを自動的に選択することができるので、登録者は画像データファイルに関する要／不要の判定を容易に行うことができ、ファイル管理の簡素化を実現することができる。
【００８７】
尚、このような削除要求は、上述した表示パネル８にユーザ別ステーブル情報を表示している時のみならず、例えば、画像形成装置１を利用するためにユーザ認証用カードをカード読取部１１に挿入した際に、該当するユーザの画像データファイルに対して行うこともできる。
【００８８】
このように、本発明の文書管理プログラムによれば、印刷物（原稿束）しかないものを複数種類（複数束）まとめてスキャンして電子化する際に、仕分け用の紙をしおり画像として印刷し、その紙を各印刷物の第１頁目として差し替えることにより、判別しながら多種類のファイルを一括して仕分け記憶することができ、画像データファイル管理を容易に実現することができる。
【００８９】
ところで、上記実施の形態では、本発明の文書管理プログラムを画像形成装置としての複合機に適用して説明したが、例えば、複写機やスキャナ等の専用機のように、スキャナ機能を備えたもの、或いは、スキャナ機能を利用したパーソナルコンピュータ等、各種データ管理装置全般に適用することができることは勿論である。
【図面の簡単な説明】
【００９０】
【図１】本発明の一実施形態に係る文書管理プログラムを備えた画像形成装置の正面図である。
【図２】本発明の一実施形態に係る文書管理プログラムのブロック図である。
【図３】本発明の一実施形態に係る文書管理プログラムを実行する制御回路部のブロック図である。
【図４】本発明の一実施形態に係る文書管理プログラムに用いられるしおり画像の説明図である。
【図５】本発明の一実施形態に係る文書管理プログラムに用いられる他のしおり画像の説明図である。
【図６】本発明の一実施形態に係る文書管理プログラムの原稿処理の説明図である。
【図７】本発明の一実施形態に係る文書管理プログラムの処理ルーチンの説明図である。
【図８】本発明の一実施形態に係る文書管理プログラムの処理ルーチンのフロー図である。
【図９】本発明の一実施形態に係る文書管理プログラムのテーブル情報の一例の説明図である。
【図１０】本発明の一実施形態に係る文書管理プログラムのテーブル情報表示例の説明図である。
【図１１】本発明の一実施形態に係る文書管理プログラムのテーブル情報表示例の他の説明図である。
【図１２】本発明の一実施形態に係る文書管理プログラムの削除ルーチンの説明図である。
【図１３】本発明の一実施形態に係る文書管理プログラムの削除案内表示例の説明図である。
【符号の説明】
【００９１】
１…画像形成装置（複合機）
８…表示パネル
１４…ＲＯＭ
１５…画像読取部（ＣＣＤ）
１６…制御回路部（ＣＰＵ）
１８…画像形成部
２０…画像データファイル記憶部
２５…しおり画像データ生成手段
２６…しおり画像付原稿生成手段
２７…しおり画像識別手段
２８…しおり画像識別手段
３１…ファイル作成手段
【図１】
2009094598.tif 000003
【図２】
2009094598.tif 000004
【図３】
2009094598.tif 000005
【図４】
2009094598.tif 000006
【図５】
2009094598.tif 000007
【図６】
2009094598.tif 000008
【図７】
2009094598.tif 000009
【図８】
2009094598.tif 000010
【図９】
2009094598.tif 000011
【図１０】
2009094598.tif 000012
【図１１】
2009094598.tif 000013
【図１２】
2009094598.tif 000014
【図１３】
2009094598.tif 000015